(57)【特許請求の範囲】
【請求項１】
野魚に似せた本体を有する友釣り用ルアー（10）であって、
前記本体（11,13）が、竿側の糸（1）の下端が鼻環（2）を通じて締結することにより保持するための第１の保持部（17）を備えた前方部材（11）と、魚が掛かる針側の糸（6）の上端が逆さ針（3）を通じて締結することにより保持するための第２の保持部（15a）を備えた後方部材（13）とに分割されており、かつ、
前記本体（11,13）に負荷される力の向きに応じて前記前方部材（11）と前記後方部材（13）が当接した第１の形態と、前記前方部材（11）と前記後方部材（13）が離間した第２の形態との間で変化させる形態変化機構を備えたことを特徴とする友釣り用ルアー。
【請求項２】
前記形態変化機構は、野魚が針（4）に掛かった力に応じて瞬間的に前記本体（11,13）を前記第１の形態から前記第２の形態とすることを特徴とする請求項１に記載の友釣り用ルアー。
【請求項３】
前記形態変化機構は、前記本体(11,13)を前記第１の形態に保持するべく前記前方部材（11）と前記後方部材（13）を互いに係止させるラッチ機構（16）を備え、前記ラッチ機構は前記前方部材（11）と前記後方部材（13）を離間させる向きに所定の大きさの力が負荷されたときに解除されることを特徴とする請求項１または２に記載の友釣り用ルアー。
【発明の詳細な説明】
【技術分野】
【０００１】
本発明は、鮎等の友釣りの囮用疑似魚または疑似餌としてのルアーに関し、特に、魚が掛かった時の取り込み易さと仕掛けの保護を向上させた友釣り用ルアーに関する。
【背景技術】
【０００２】
図６は、一般的な鮎の友釣り方法を説明するための図である。図６（Ａ）に示す通り、竿先から延びる鮎の友釣り用仕掛けは、竿に連結された竿側の糸１、鼻環２、鼻環２と逆さ針３の間の糸（以下「中間糸」と称する）５、逆さ針３  針側の糸６及び掛け針４、並びに囮鮎Ｎから構成されている。通常、図６（Ｂ）に示すように、予め捕獲しておいた生きた鮎である囮鮎Ｎの鼻Ｎａに鼻環２を掛け、臀鰭Ｎｂもしくは臀鰭付近に逆さ針３を掛けることにより、囮鮎Ｎを仕掛けに取り付ける。このとき、鼻環２と逆さ針３の間の中間糸５の長さＬが短かすぎると、中間糸５が張りすぎとなって囮鮎Ｎの動きを阻害する。一方、中間糸５の長さＬが長すぎると、中間糸５が弛みすぎて絡まるおそれがある。よって、適度な弛みとなるように中間糸５の長さＬを設定することが重要である。鮎の友釣り方法は、友釣り用仕掛けを釣り竿で操作しながら囮鮎Ｎを河川に泳がせることにより、鮎の縄張り本能と闘争本能を刺激して攻撃させ、掛け針４に引っ掛かったタイミングで捕らえる釣り方である。
【０００３】
なお、友釣り方法の典型は、鮎の友釣りであるが、縄張りの防衛行動をとる魚であれば、鮎以外の魚に対しても適用可能な方法である。このような友釣り方法において、囮魚に替えて囮魚に似せたルアーを用いる方法がある。
【０００４】
図７（Ａ）は、従来技術のルアーを用いた友釣り用仕掛けの一例を示した図である。魚に似せたルアー１００の本体１０１の鼻先付近に左右方向に貫通する貫通孔１０２が設けられている。貫通孔の替わりに、金属製のアイと呼ばれるリング状部材が取り付けられたものもある。貫通孔１０２に友釣り用仕掛けの鼻環２を掛けて保持し、さらにルアーの逆さ針保持機構１０３に逆さ針３を挟んで保持している。鼻環２は貫通孔１０２から外れない締結状態であるが、逆さ針３は逆さ針保持機構１０３に一時的に取り付けた仮止め状態である。本体１０１の鼻先の下方には、潜るための水抵抗を受けるリップ１０４が設けられている。
【０００５】
図７（Ｂ）（Ｃ）は、図７（Ａ）の本体１０１の逆さ針保持機構１０３の位置における長手方向に垂直な縦断面の２つの状態を示す図である。（Ｂ）の逆さ針保持機構１０３は、一対の逆さ針保持機構部材片１０３ａ、１０３ｂの互いの内面が当接しており、（Ｃ）の状態は、一対の逆さ針保持機構部材片１０３ａ、１０３ｂが基部近傍では互いの内面が当接し先端部近傍ではやや開いている状態である。通常は（Ｂ）の状態であるが、逆さ針保持機構部材片１０３ａ、１０３ｂの弾性により（Ｃ）のように変形できる。ゆえに逆さ針保持機構１０３は、逆さ針３を挟み込んで仮止めする構造である（例えば特許文献１）。あるいは、図示しないが、尾鰭の下縁に設けた薄膜のゴムに逆さ針を引っ掛けて仮止めする構造もある（例えば特許文献２）。逆さ針３を仮止めする構造をもつルアー１００では、野魚（以下、友釣りの標的とする魚をこのように称する）が掛かると同時にルアー１００から逆さ針３が外れる。このようなルアー１００は、広く販売されている。
【０００６】
野魚が掛かった瞬間に逆さ針３がルアー１００から外れるようにした理由は、仮に逆さ針３が簡単に外れないような逆さ針保持機構を設けたならば、掛け針４に野魚が掛かったとき逆さ針保持機構と逆さ針３に野魚の負荷が全て加わり破損の原因になるからである。逆さ針保持機構と逆さ針３を強固なものとしても、今度はルアー１００の本体１０１を介して鼻環２に全ての負荷が加わることにより、鼻環２が竿側の糸１上を下がる様に無理やり動いてしまう。もともと、鼻環２は竿側の糸１上を自由に移動できるが、鼻環２を構成している糸が竿側の糸１に巻きつかせている摩擦で留まっているだけなので、あまり不用意に鼻環２の位置を動かすと緩みすぎてしまい、友釣り用仕掛けを損傷することとなる。
【０００７】
以上の理由から、野魚が掛かった瞬間に逆さ針３がルアー１００から外れた方がよいとされてきた。しかも、竿先から掛け針４までの間に弛みがなくなり、糸全体が一直線となるため野魚を取込み易くなるという利点もあった。
【０００８】
なお、ルアーを用いた友釣り用仕掛けにおいても、生きた囮魚を用いた場合と同様に、鼻環２と逆さ針３の間の中間糸５の長さＬを適度な弛みをもつように設定する必要がある。
【０００９】
図８（Ａ）（Ｂ）（Ｃ）は、ルアーを用いた場合の中間糸５の適度な弛みの必要性を説明する図である。（Ａ）（Ｂ）（Ｃ）は、３通りの中間糸５の長さＬとして、Ｌ１（最長で弛みがある）、Ｌ２（Ｌ１より短い長さ）、Ｌ３（Ｌ２より短い長さ）をそれぞれ有し、いずれも定点Ｔを竿先として仮定している。（Ａ）の弛みのあるＬ１とした場合、定点Ｔと鼻環２の間の竿側の糸１の張力の向きが、定点Ｔと貫通孔１０２を結ぶ１つの直線上に位置することがわかる。これに対し（Ｂ）のＬ２、さらに（Ｃ）のＬ３と徐々にＬを短くしていくと、竿側の糸１の張力の向きが、（Ａ）で示した定点Ｔと貫通孔１０２を結ぶ直線（点線で示す）からずれてルアー後方に移動していくことがわかる。同様に左右方向についても、ルアー側面の中間糸５を張っている方に引っ張られ、張力の方向が変化してしまう。この結果、ルアーの姿勢が前後方向及び左右方向に傾いたり、ルアーの動きが不自然なものとなったりする。これでは、ルアーが囮魚と同様の役割を果たすことはできない。従って、中間糸５の長さＬは、必ず（Ａ）に示す長さＬ１程度の緩みをもつ長さでなくてはならない。
【先行技術文献】
【特許文献】
【００１０】
【特許文献１】特開２００４−３３７０７６号公報
【特許文献２】特開２０１０−２２３０６号公報
【発明の概要】
【発明が解決しようとする課題】
【００１１】
しかしながら、上述した逆さ針３の仮止め構造を有する従来のルアー１００には、以下のような問題点がある。
図９に示すように野魚Ｗが掛かった瞬間にルアー１００から逆さ針３が外れると、竿先から掛け針４までの竿側の糸１、中間糸５及び針側の糸６の全体に張力が掛かって直線上に張り、その途中にルアー１００が鼻環２のみで不安定にぶら下がった状態となる。ここで第１の問題点として、野魚Ｗの振動によりルアー１００が暴れて竿側の糸１や中間糸５を叩くこととなる（両矢印参照）。その結果、衝撃によって掛け針４が野魚から外れてしまう、いわゆる「バラシ」の確率が高かった。この点で、逆さ針３の仮止め構造には改善の余地があった。但し、単に逆さ針３をルアーに対して仮止めではなく締結しただけでは、上述（段落０００６）したように友釣り用仕掛けを損傷する問題があるので、この問題も同時に解決しなければならない。
【００１２】
第２の問題点として、図１０（Ａ）に示すように野魚が掛かる前に例えば掛け針４が川底や障害物などに接触した衝撃等により、図１０（Ｂ）に示すように逆さ針３が外れてしまう可能性がある。その場合、鼻環２から掛け針４までの仕掛けは、大きく垂れ下がり川底や障害物への根がかりを発生する原因となった。
【００１３】
本発明は、上記のような問題点に鑑み、野魚が掛かった後、野魚の振動でルアーが暴れることなく、安定した状態で野魚の取込みができ、バラシの確率を低減でき、かつ、友釣り用仕掛けを損傷することもなく、さらに野魚が掛かる前の根がかりが発生し難い友釣り用ルアーを提供することを目的とする。
【課題を解決するための手段】
【００１４】
上記の課題を解決するために、本発明は、以下の構成の友釣り用ルアーを提供する。括弧内の数字は、後述する図面中の符号を参考のために付したものであり、本発明を実施例に限定する意図ではない。
本発明による友釣り用ルアーは、野魚に似せた本体を有する友釣り用ルアー（10）であって、前記本体（11,13）が、竿側の糸（1）の下端が鼻環（2）を通じて締結することにより保持するための第１の保持部（17）を備えた前方部材（11）と、魚が掛かる針側の糸（6）の上端が逆さ針（3）を通じて締結することにより保持するための第２の保持部（15a）を備えた後方部材（13）とに分割されており、かつ、前記本体（11,13）に負荷される力の向きに応じて前記前方部材（11）と前記後方部材（13）が当接した第１の形態と、前記前方部材（11）と前記後方部材（13）が離間した第２の形態との間で変化させる形態変化機構を備えたことを特徴とする。
好適には、前記形態変化機構は、野魚が針（4）に掛かった力に応じて瞬間的に前記本体（11,13）を前記第１の形態から前記第２の形態とする。
さらに好適には、前記形態変化機構は、前記本体(11,13)を前記第１の形態に保持するべく前記前方部材（11）と前記後方部材（13）を互いに係止させるラッチ機構（16）を備え、前記ラッチ機構は前記前方部材（11）と前記後方部材（13）を離間させる向きに所定の大きさの力が負荷されたときに解除される。
【発明の効果】
【００１５】
本発明によるルアーは、本体が、友釣り用仕掛けの鼻環を締結することにより保持するための第１の保持部を備えた前方部材と、友釣り用仕掛けの逆さ針を締結することにより保持するための第２の保持部を備えた後方部材とに分割されている。これにより、野魚が掛け針に掛かったとき、前方部材と後方部材が離間して本体が伸びることができる。通常、第１の保持部と第２の保持部の間には中間糸が適度な弛みをもって締結されているが、本体が伸びることにより中間糸が張り、ルアーがこの中間糸に沿って安定に支持される。この結果、野魚の振動によりルアーが暴れて糸を叩くことがない。よって、バラシの確率を大幅に低減できる。
【００１６】
また、友釣り用仕掛けの糸が、竿先から掛け針まで直線上に位置することとなるので、仕掛けの部品に余分な負荷が掛からず、損傷を防ぎ保護することができる。
【００１７】
さらに、第２の保持部に逆さ針、掛け針側の糸及び掛け針を通じて、野魚以外の意図しない負荷が本体に掛かって本体が伸びた場合でも、逆さ針がルアーから外れることがない。この結果、根がかりを低減することができる。
【図面の簡単な説明】
【００１８】
【図１】図１は、本発明の一実施例における友釣り用ルアーの構成を示す、（Ａ）は外観斜視図であり、（Ｂ）は展開斜視図である。
【図２】図２（Ａ）（Ｂ）（Ｃ）は、図１のルアー１０の形態変化を説明する図である。
【図３】図３は、図１に示したルアーを装着した友釣り用仕掛けを用いた友釣りにおける、水中でのルアーの通常姿勢を示した図である。
【図４】図４は、図１に示したルアーを装着した友釣り用仕掛けを用いた友釣りにおいて、掛け針に野魚が掛かったときのルアーの姿勢を示した図である。
【図５】図５は、図１に示したルアーを装着した友釣り用仕掛けを用いた友釣りにおいて、野魚が掛かる前に形態変化機構が働いて本体が伸びた状態を示した図である。
【図６】図６は、（Ａ）（Ｂ）は、一般的な鮎の友釣りにおいて友釣り用仕掛けと囮鮎の装着方法を説明するための図である。
【図７】図７は、（Ａ）は、従来技術のルアーを用いた友釣り方法の仕掛けを示した図であり、（Ｂ）（Ｃ）は、（Ａ）の逆さ針保持機構の位置における長手方向に垂直な縦断面図である。
【図８】図８は、（Ａ）（Ｂ）（Ｃ）は、ルアーを用いた場合の中間糸の適度な弛みの必要性を説明する図である。
【図９】図９は、従来技術のルアーにおいて野魚が掛かった状態の問題点を説明する図である。
【図１０】図１０は、（Ａ）（Ｂ）は、従来技術のルアーにおいて野魚が掛かる前の時点の問題点を説明する図である。
【発明を実施するための形態】
【００１９】
以下、図面を参照しつつ本発明の実施形態を説明する。
図１は、本発明の一実施例における友釣り用ルアーの構成を示す、（Ａ）は外観斜視図であり、（Ｂ）展開斜視図である。
【００２０】
図１（Ａ）に示すように、友釣り用ルアー（以下単に「ルアー」と称する）１０は、野魚に似せた本体を有する。野魚は、典型的には鮎であるが、縄張りを防衛する生態をもつ魚であれば適用可能であるので鮎に限られない。本体は、長手方向に垂直な１つの縦断面において、前方部材１１と後方部材１３に２分割されている。分割位置は、図示の例では後尾寄りであるが、この位置に限られない。後述する形態変化機構を組み込める限りにおいて、どの位置で２分割してもよい。本体の前方部材１１の材料は、浮力のある材質でバルサなどの木材や発泡性の樹脂で形成されている。また、浮力を得るために中を中空にしてエンジニアリングプラスチックで形成されてもよい。更に、ルアーアクションのバランスをとるために錘などでバランスを調整してもよい。後方部材１３を含むその他の部材は強度、耐衝撃性、耐熱性、硬度、耐老化性に優れた硬質のエンジニアリングプラスチックが好ましいが、これに限定しない。プラスチックは、公知の成型技術によりルアーの多様な形状に加工可能である。
【００２１】
前方部材１１の前端近傍には、アイと同様の機能を有する貫通孔１７が形成されている。貫通孔１７は、友釣り用仕掛けの鼻環２を保持するための第１の保持部の役割を果たす。また、前端下部から前方に突出するリップ１８が設けられている。
【００２２】
ここで、本明細書における「締結」とは、少なくとも野魚が掛かったときに負荷される力によっては容易に外れないようにしっかりと固定することを意味する。締結するための具体的な固定手段については、嵌合圧着や結び付け等多様であり、限定しない。
【００２３】
後方部材１３の下部には、逆さ針保持機構１５が設けられる。逆さ針保持機構１５には、貫通孔１５ａが形成されている。逆さ針保持機構１５は、本体の厚さに比べて遙かに薄いフィルム状の樹脂からなる。逆さ針保持機構１５の外郭形状は、野魚の臀鰭を模した形状となっている。貫通孔１５ａは、友釣り用仕掛けの逆さ針３を保持するための第２の保持部の役割を果たす。この第２の保持部は、上述した従来技術とは異なり、一時的な逆さ針保持機構ではなく、野魚が掛かっても外れないように逆さ針を保持する。
【００２４】
貫通孔１５ａは、例えば、逆さ針の径より若干小さい径で予め形成しておき、逆さ針を引っ掛けたときに逆さ針により貫通孔１５ａの径が押し広げられるようにする。これにより、逆さ針保持機構１５のフィルムが逆さ針に密着して容易に抜けないように締結することができる。また、使用していくうちに貫通孔１５ａが広がって逆さ針を固定できなくなった場合は、逆さ針保持機構１５上の空いているスペースに針や鋲等を貫通させて当初の貫通孔１５ａと同様の貫通孔を新たに形成することにより、再度フィルムを逆さ針に密着させて締結するように修復できる。
【００２５】
図１（Ｂ）に示すように、図示の例では、前方部材１１は、ほぼ左右対称関係にある前方部材右片１１ａと前方部材左片１１ｂを接合して形成されている。これら左右片の接合は、一方に形成した接合凸部１１ａ１（図示の例では２箇所）と他方に形成した対応する凹部（本図には現れない）との嵌合による。左右片の接合により、前方部材右片１１ａに形成した右片貫通孔１７ａと前方部材左片１１ｂに形成した左片貫通孔１７ｂが１つの貫通孔１７を形成する。
【００２６】
前方部材右片１１ａと前方部材左片１１ｂを接合する際には、前方部材右片１１ａの後端内面側の切欠きと、前方部材左片１１ｂの後端内面側の同様の切欠きにラッチピン１６のピン基部１６ａを嵌め込みながら接合する。前方部材右片１１a側の切欠き内の接合凸部１１ａ２（図示の例では２箇所）と前方部材左片１１ｂ側の接合凸部１１ｂ２は、それぞれ両側からピン基部１６ａの取付孔１６ａ１に嵌合する。
【００２７】
ラッチピン１６は、ピン基部１６ａから後方に向かって直線状に延びる棒状のロッド部１６ｂと、ロッド部１６ｂの先端に設けたロッド部１６ｂよりも断面の大きい係止頭部１６ｃとを具備する。係止頭部１６ｃは、ラッチピン１６の長手方向に対して垂直に突出する突起を具備する。
【００２８】
図示の例では、後方部材１３もまた、ほぼ左右対称関係にある後方部材右片１３ａと後方部材左片１３ｂを接合して形成されている。これら左右片の接合は、一方に形成した接合凸部１３ａ１（図示の例では３箇所）と他方に形成した対応する凹部（本図には現れない）との嵌合による。
【００２９】
また、後方部材右片１３ａ及び後方部材左片１３ｂの前端内面側には、後方に向かって延在する切欠き１６ｄ１、１６ｄ２がそれぞれ形成されている。これらの左右片を接合することにより、切欠き１６ｄ１と１６ｄ２は１つの空間となり、ラッチピンスライド溝１６ｄを形成する。接合後のラッチピンスライド溝１６ｄ内を、ラッチピン１６のロッド部１６ｂ及び係止頭部１６ｃが長手方向すなわち前後方向にスライド可能である。
【００３０】
さらに、ラッチピンスライド溝１６ｄは、単なる直線状の通路ではなく、図示のような変則的な形状となっている。ラッチピンスライド溝１６ｄの最奥近傍には上方から垂下する係止突起１６ｅが形成されている。また、ラッチピンスライド溝１６ｄの前端入口には上方から垂下するストッパ突起１６ｆが形成されている。
【００３１】
後方部材右片１３ａと後方部材左片１３ｂを接合する際には、これら左右片の間に、逆さ針保持機構１５とラッチピン１６のロッド部１６ｂ及び係止頭部１６ｃとを挟み込んだ状態で接合する。これにより、ロッド部１６ｄと係止頭部１６ｃは、ラッチピンスライド溝１６ｄ内に収容される。
【００３２】
なお、左右片の間に挟み込まれる逆さ針保持機構１５には、ラッチピンスライド溝１６ｄ内にフィルムが突出しないように同様の形状の切欠き１５ｃが形成されている。さらに逆さ針保持機構１５には、接合凸部１３ａ１を貫通させる接合用貫通孔１５ｂ（図示の例では３箇所）も形成されている。
図１（Ｂ）の展開斜視図から示される本発明のルアーの作製方法は一例であって、この作製方法に限定されるものではない。
【００３３】
図２は、図１に示したルアー１０の形態変化を説明する図である。図２（Ａ）（Ｂ）（Ｃ）のルアーの側面図では、ルアーの後方部材１３の部分の内部を示すために断面で示している。
【００３４】
本発明によるルアーは、分割された前方部材１１と後方部材１３から構成される本体に負荷される力の向きに応じて、前方部材１１と後方部材１３が当接した第１の形態（図２（Ａ））と、前方部材１１と後方部材１３が離間した第２の形態（図２（Ｃ））との間で変化させる形態変化機構を備えている。
【００３５】
本実施例では、形態変化機構を、ラッチ機構により実現している。
図２（Ａ）は、ルアーの本体の第１の形態であり、前方部材１１と後方部材１３が当接した形態である。第１の形態では、前方部材１１と一体であるラッチピンの係止頭部１６ｃが、後方部材１３に形成されたラッチピンスライド溝１６ｄの最奥に位置し、ラッチピンスライド溝１６ｄの係止突起１６ｅと係合している（ラッチ機構による係止）。すなわち、係止頭部１６ｃは、係止突起１６ｅにより前方への移動を阻止されている。これにより、係止頭部１６ｃと一体である前方部材１１と、係止突起１６ｅと一体である後方部材１３が互いに係止され、本体は第１の形態に保持される。係止頭部１６ｃと係止突起１６ｅの係合は、所定の大きさを超える力が本体に負荷されない限り保持される。
【００３６】
図２（Ｂ）では、前方部材１１と後方部材１３を離間させるような向きの力が本体に負荷され、離間し始めた状態を示している。このような力は、貫通孔１７に締結している鼻環２と竿先との間の竿側の糸１の張力、さらには、逆さ針保持機構１５に引っ掛け締結している逆さ針３と掛け針４との間の針側の糸６の張力が、野魚が掛かったことにより大きくなることで生じる。このような力が、所定の大きさを超えると、係止頭部１６ｃが係止突起１６ｅを乗り越え（ラッチ機構の解除）、ラッチピンがラッチピンスライド溝１６ｄ内を前方へ移動し始める。係止頭部１６ｃが係止突起１６ｅを乗り越えるとき、ロッド部１６ｂは弾性的に反って変形する。ラッチピンスライド溝１６ｄのこの部分は、このようなラッチピンの変形を許容できるように広がった形状となっている。このようにして、前方部材１１と後方部材１３が離間し始める。
【００３７】
図２（Ｃ）は、ルアーの本体の第２の形態であり、前方部材１１と後方部材１３が最大に離間した形態である。第２の形態では、ラッチピンのロッド部１６ｂが、離間した前方部材１１の後端と後方部材１３の前端の間で露出しており、これらの間を連結している。係止頭部１６ｃは、ラッチピンスライド溝１６ｄのストッパ突起１６ｆと係合している。これにより、ラッチピンがラッチピンスライド溝１６ｄから脱落することを防止している。
【００３８】
なお、図２（Ａ）から図２（Ｂ）を経て図２（Ｃ）となる形態変化は、野魚が掛け針に掛かったとき、野魚による衝撃が伝達されると同時にほぼ瞬間的に生じる。
【００３９】
ルアーの本体を第２の形態から第１の形態に戻す場合は、図２（Ｃ）の第２の形態にあるルアーの前方部材１１と後方部材１３を互いに近づける向きに力を負荷すればよい。例えば、前方部材１１と後方部材１３を両手で持って押し付ける操作を行う。この場合、図２（Ｂ）において、ラッチピンの係止頭部１６ｃが逆方向に係止突起１６ｅを乗り越え、図２（Ａ）の第１の形態に復帰する。
【００４０】
このように、本発明によるルアーは、野魚が掛け針に掛かったとき、その衝撃によりルアーの本体の全長が、一定の長さだけ実質的に伸びることが可能な構造を有している。
【００４１】
図示したラッチ機構では、前方部材１１にラッチピン１６を、後方部材１３にラッチピンスライド溝１６ｄを設けているが、これらを逆に設けてもよい。
【００４２】
また、第１の形態と第２の形態の間で本体を変化させる形態変化機構は、ラッチ機構に限られない。上述したラッチピンの係止頭部１６ｃに替えてロッド部１６ｂの先端に磁石を取付ける一方、ラッチピンスライド溝１６ｄの係止突起１６ｅに替えて最奥部に磁性体を配置した脱着機構でもよい。この場合、第１の形態では磁石と磁性体が付着しており、磁力よりも強い力が負荷されると磁石と磁性体が離れて第２の形態となる。
【００４３】
さらに、第１の形態と第２の形態の間で本体を変化させる形態変化機構としては、例示した機構以外にも多様な構成が考えられる。同様の形態変化を生じ得る機構であれば、本発明の範囲に含まれるものとする。
【００４４】
図３は、図１に示したルアー１０を装着した友釣り用仕掛けを用いた友釣りにおける、水中でのルアー１０の通常姿勢、すなわち野魚が掛かる前の姿勢を示した図である。野魚が掛かる前は、ルアー１０の本体１１、１３は、上述した第１の形態となっている。竿側の糸１の下端は、鼻環２を介して貫通孔７に締結されている（第１の保持部）。また、掛け針４側の糸６の上端は、逆さ針３を介して逆さ針保持機構１５に締結されている（第２の保持部）。そして、第１の保持部と第２の保持部の間の中間糸５は、適度な弛みをもって両端をそれぞれ締結されている。この中間糸５の弛みによって、ルアー１０は不自然に傾くことなく自然なルアーアクションが再現でき、囮魚を模することができる。
【００４５】
図４は、図１に示したルアー１０を装着した友釣り用仕掛けを用いた友釣りにおいて、掛け針４に野魚Ｗが掛かったときのルアー１０の姿勢を示した図である。野魚Ｗが掛かった衝撃により、上述した形態変化機構が働き、本体の前方部材１１と後方部材１３が離間する。これにより中間糸５の弛みは無くなり、中間糸５は直線状に張る。このとき、ルアー１０全体が、友釣り用仕掛けの鼻環２及び逆さ針３の２点で支持され、真っ直ぐに張った中間糸５に沿った姿勢となる。従って、野魚Ｗが暴れてもルアー１０が暴れて糸を叩くことがなく、ルアー１０は安定している。これにより、糸がルアーにより叩かれる衝撃によるバラシが低減される。第１の形態における中間糸５の弛みは、第２の形態となったときに中間糸５が直線状に張るように設定する。
【００４６】
同時に、竿側の糸１から掛け針４までが一直線上に位置することとなるため、野鮎Ｗによる負荷が効率的に友釣り用仕掛けの糸全体に加わる。このことが、鼻環２、逆さ針３及び逆さ針保持機構１５などの各部品に掛かる負荷を軽減し、これらの損傷を回避して保護することに寄与する。この結果、ルアー１０の保護と友釣り用仕掛けの保護を同時に実現できる。
【００４７】
図５は、図１に示したルアー１０を装着した友釣り用仕掛けを用いた友釣りにおいて、野魚が掛かる前に形態変化機構が働いて本体が伸びた状態を示した図である。意図しない衝撃等の負荷により形態変化機構が働いて本体が伸びたとしても、逆さ針３はルアー１０から外れることはない。従って、ルアー１０に対して友釣り用仕掛けの垂れ下がりは、第２の保持部に締結している逆さ針３から掛け針４までの仕掛けとなり、形態変化する前と同じで少ないままである。この結果、意図しない負荷により形態変化したとしても、仕掛けが根がかりすることが従来に比べて低減される。
【実施例】
【００４８】
本発明の効果は、野魚がヒットしてから釣り師自身が網に入れるか、もしくは、手元に確保するまでのバラシの確率で判断できる。通常の生きた鮎で釣る友釣りは、囮鮎が動き回るので野鮎が掛け針にヒットしたときに掛りが深く、バラシの確率は低い。一方、ルアーでの友釣りは、動きがある程度単調で制限されるために掛りが浅くなり、バラシの確率が非常に高い。従来のルアーでは、おおよそ、１０回ヒットして手元に確保できるのは５〜６匹といったところである。すなわち、バラシの確率は４０〜５０％であった。
【００４９】
これに対し、本発明によるルアーを用いた友釣りでは、バラシの確率が飛躍的低下して、１０回ヒットした中でバラシは１匹あるかないかであった。すなわち、バラシの確率が０〜１０％程度となった。テスター５人について、ほぼ同じデータが得られた。
【００５０】
加えて、友釣りの途中での根がかりもほぼ発生しなかった。
【符号の説明】
【００５１】
１  竿側の糸
２  鼻環
３  逆さ針
４  掛け針
５  中間糸
６  針側の糸
１０  ルアー
１１  前方部材
１１ａ  前方部材右片
１１ａ１、１１ａ２  接合凸部
１１ｂ  前方部材左片
１１ｂ２  接合凸部
１３  後方部材
１３ａ  後方部材右片
１３ａ１  接合凸部
１３ｂ  後方部材左片
１５  逆さ針保持機構
１５ａ  貫通孔
１５ｂ  接合用貫通孔
１５ｃ  切欠き
１６  ラッチピン
１６ａ  ピン基部
１６ａ１  取付孔
１６ｂ  ロッド部
１６ｃ  係止頭部
１６ｄ  ラッチピンスライド溝
１６ｄ１、１６ｄ２  切欠き
１６ｅ  係止突起
１６ｆ  ストッパ突起
１７  貫通孔
１７ａ  右片貫通孔
１７ｂ  左片貫通孔
１８  リップ
１００  ルアー
１０１  本体
１０２  貫通孔
１０３  逆さ針保持機構
１０３ａ、１０３ｂ  逆さ針保持機構部材片
１０４  リップ
Ｎ  囮鮎
Ｎａ  囮鮎の鼻の孔
Ｎｂ  囮鮎の臀鰭
Ｗ  野魚
【図１】
0005867709.tif 000002
【図２】
0005867709.tif 000003
【図３】
0005867709.tif 000004
【図４】
0005867709.tif 000005
【図５】
0005867709.tif 000006
【図６】
0005867709.tif 000007
【図７】
0005867709.tif 000008
【図８】
0005867709.tif 000009
【図９】
0005867709.tif 000010
【図１０】
0005867709.tif 000011